(57)【要約】【課題】シンプルで安価な上に耐久性がある入場者表示具を提供することを課題とする。【解決手段】入場者表示具１は、入場者一覧表が表示される本体部品１０と、本体部品に取り外し可能に貼着される貼着部品２０と、を備え、本体部品１０は、入場者を識別する情報が記載される第一領域１０ａと、各入場者が入場していることを示す情報が表示された第二領域１０ｂと、各入場者が退場していることを示す情報が表示された第三領域１０ｃとを有し、貼着部品２０は、第二領域１０ｂまたは第三領域１０ｃに貼着されて各入場者の入退場を表示することを特徴とする。【選択図】図１
2015141405.tif 000002
【特許請求の範囲】
【請求項１】
入場者一覧表が表示される本体部品と、
前記本体部品に取り外し可能に貼着される貼着部品と、を備え、
前記本体部品は、入場者を識別する情報が記載される第一領域と、
各入場者が入場していることを示す情報が表示された第二領域と、
各入場者が退場していることを示す情報が表示された第三領域とを有し、
前記貼着部品は、前記第二領域または前記第三領域に貼着されて各入場者の入退場を表示する、
ことを特徴とする入場者表示具。
【請求項２】
前記本体部品は、
磁性体製の第１シートと、前記第１シートの表面を覆い、前記入場者一覧表が記載される紙製の第２シートと、前記第２シートの表面を覆い、前記第２シートを保護する透明の第３シートとで構成される、
ことを特徴とする請求項１に記載の入場者表示具。
【請求項３】
前記本体部品は、
入場者数分の前記第一領域が縦に並べられ、前記第一領域の左右の何れか一方に入場者数分の前記第二領域が縦に並べられ、他方に前記第三領域が縦に並べられている、
ことを特徴とする請求項１又は請求項２に記載の入場者表示具。
【請求項４】
前記貼着部品は、表面に反射層または発光層を有する、
ことを特徴とする請求項１ないし請求項３の何れか一項に記載の入場者表示具。
【発明の詳細な説明】
【技術分野】
【０００１】
本発明は、工事現場等に入場している者を表示する入場者表示具に関する。
【背景技術】
【０００２】
工事現場の作業所には、特定の場所（例えば、作業現場）への入場者（トンネルの入坑者を含む）を確認することができるように、入場者一覧表が設置されている。ここで、入場者一覧表は、トンネル工事を想定すると、例えば、入場者を識別する情報（例えば、「氏名」）と、入場者が入場していることを示す情報（例えば、「入坑」）と、入場者が退場していることを示す情報（例えば、「出坑」）で構成される。
【０００３】
入場者一覧表として機能する表示具（以下、「入場者表示具」）としては、回転可能な名札板の表と裏を紅白のどちらか一方に着色し、名札板を反転させることで入坑と出坑とを表示できるものが知られていた（非特許文献１参照）。図５に非特許文献１に記載される入場者表示具の概略図を示す。
また、他の入場者表示具としては、入坑および出坑が表示されている下地の表面を名札板が左右にスライドすることで入坑および出坑のいずれか一方を隠し、入坑と出坑とを表示できるものが知られていた（非特許文献２参照）。図６に非特許文献２に記載される入場者表示具の概略図を示す。
【先行技術文献】
【非特許文献】
【０００４】
【非特許文献１】“入坑者一覧表”、[online]、ミドリ安全株式会社、[平成２６年１月６日検索]、インターネット、＜URL:http://ec.midori-anzen.com/shop/c/c70NAAC/＞
【非特許文献２】“入坑・入場者一覧表”、[online]、株式会社ファースト、[平成２６年１月６日検索]、インターネット、＜URL:http://www.first23.com/anzenhyoushiki-index.html＞
【発明の概要】
【発明が解決しようとする課題】
【０００５】
入場者表示具は、工事現場の仮設資材であるから、シンプルで安価であることが望ましい。非特許文献１および非特許文献２に記載された入場者表示具は、市場価格が１．８万円〜２．５万円程度であり高額である。
【０００６】
また、入場者表示具が設置される工事現場は、屋外である場合も多い。その為、屋外で使用されても、劣化が小さく、耐用年数が長い入場者表示具の開発が望まれている。
【０００７】
本発明は、前記問題に鑑みてなされたものであり、シンプルで安価な上に耐久性がある入場者表示具を提供することを課題とする。
【課題を解決するための手段】
【０００８】
前記課題を解決するため、本発明に係る入場者表示具は、入場者一覧表が表示される本体部品と、前記本体部品に取り外し可能に貼着される貼着部品と、を備え、前記本体部品は、入場者を識別する情報が記載される第一領域と、各入場者が入場していることを示す情報が表示された第二領域と、各入場者が退場していることを示す情報が表示された第三領域とを有し、前記貼着部品は、前記第二領域または前記第三領域に貼着されて各入場者の入退場を表示する、ことを特徴とする。ここで、前記貼着部品は、表面に反射層または発光層を有するのがよい。
【０００９】
また、前記本体部品は、磁性体製の第１シートと、前記第１シートの表面を覆い、前記入場者一覧表が記載される紙製の第２シートと、前記第２シートの表面を覆い、前記第２シートを保護する透明の第３シートとで構成されるのがよい。
【００１０】
また、前記本体部品は、入場者数分の前記第一領域が縦に並べられ、前記第一領域の左右の何れか一方に入場者数分の前記第二領域が縦に並べられ、他方に前記第三領域が縦に並べられているのがよい。
【発明の効果】
【００１１】
本発明によれば、従来よりもシンプルで安価な上に耐久性がある。
【図面の簡単な説明】
【００１２】
【図１】実施形態に係る入場者表示具の外観図である。
【図２】実施形態に係る入場者表示具の要部分解斜視図である。
【図３】実施形態に係る入場者表示具の製造方法を説明するための図である。
【図４】実施形態に係る入場者表示具を夜間に遠方から照明具を用いて観察した状態を示す図である。
【図５】従来における入場者表示具（その１）を説明するための図であり、図５（ａ）は外観図であり、図５（ｂ）は入場・退場の示し方を説明するための図である。
【図６】従来における入場者表示具（その２）を説明するための図であり、図６（ａ）は外観図であり、図６（ｂ）は入場・退場の示し方を説明するための図である。
【発明を実施するための形態】
【００１３】
以下、本発明の実施をするための形態を、適宜図面を参照しながら詳細に説明する。
各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている場合がある。なお、各図において、共通する構成要素や同様な構成要素については、同一の符号を付し、それらの重複する説明を省略する。
【００１４】
≪実施形態に係る入場者表示具の構成≫
図１を参照して、実施形態に係る入場者表示具の構成について説明する。
入場者表示具１は、特定の場所に入場している者を確認するためのものであり、例えば、外部から目視で入場者を確認できない作業現場で利用される。本実施形態では、入場者表示具１として、トンネルの坑内に入って作業を行う者を表示する場合を想定する。入場者表示具１は、本体部品１０と、本体部品１０に貼着される複数の貼着部品２０と、本体部品１０を観覧しやすいように固定する固定部品３０とを備えて構成されている。
【００１５】
本体部品１０には、入場者一覧表が表示されている。入場者一覧表のデザインは特に限定されるものではなく、入場者表示具１を使用する者の好みや、使用される環境等を考慮して自由に種々のデザインを選択してよい。ここでは、入場者一覧表は、入場者を識別する情報（氏名）が表示された複数の第一領域１０ａ，１０ａ，・・・と、入場者が特定の場所に入場していることを示す情報（入坑）が表示された複数の第二領域１０ｂ，１０ｂ・・・と、入場者が特定の場所から退場していることを示す情報（出坑）が表示された複数の第三領域１０ｃ，１０ｃ，・・・と、を入場者毎に対応付けて有している。
【００１６】
複数の第一領域１０ａ，１０ａ，・・・は、本体部品１０の左右方向の中央において縦に並べられている。また、複数の第二領域１０ｂ，１０ｂ・・・は、第一領域１０ａ群の左側において縦に並べられている。また、複数の第三領域１０ｃ，１０ｃ，・・・は、第一領域１０ａ群の右側において縦に並べられている。
【００１７】
入場者表示具１は、第二領域１０ｂに貼着部品２０が貼着されている場合に、入場者が特定の場所から退場していることを示す。一方、第三領域１０ｃに貼着部品２０が貼着されている場合に、入場者が特定の場所に入場していることを示す。以下では、各部品について詳細に説明する。
【００１８】
＜本体部品＞
図２を参照して、本体部品１０の構成を説明する。本体部品１０は、磁性体シート１１と、印刷シート１２と、保護シート１３とを積層した三層構造である。
磁性体シート１１は、磁性体製のシートである。磁性体シート１１は、例えば、ゴムにフェライト粉末を混ぜて成型したマグネットシートや鉄製の薄板からなる。磁性体シート１１としてマグネットシートのように磁石面がある場合、磁石面が前面側を向くように磁性体シート１１が設置される。
【００１９】
印刷シート１２は、入場者一覧表が印刷されたシートであり、磁力を通す素材からなる。印刷シート１２は、例えば、紙製の薄片（コピー紙等）であってよい。印刷シート１２は、印刷面が前面側を向くように磁性体シート１１に固着される。
保護シート１３は、印刷シート１２を傷や汚れから保護するためのものであり、磁力を通す素材からなる。保護シート１３は、防水加工や紫外線防止加工がなされているのが望ましい。保護シート１３は、例えば、合成樹脂製の透明のラミネートフィルムであってよい。保護シート１３は、印刷シート１２を覆うとともに、印刷シート１２の印刷面に固着される。
【００２０】
＜貼着部品＞
貼着部品２０は、本体部品１０の入場者一覧表部分に貼着され、各入場者の入場・退場を示すものである。貼着部品２０は、磁力を用いて本体部品１０に取り外し可能に貼着される。貼着部品２０は、磁性体シート１１との間で磁力による吸引力が発生するものであり（図２の白抜き矢印）、かつ、第二領域１０ｂまたは第三領域１０ｃに貼着した際に文字が透けないもの（例えば、透明でないもの）がよい。
【００２１】
貼着部品２０の寸法・形状は、１つの第二領域１０ｂまたは１つの第三領域１０ｃを覆い隠すことができるものであると共に、第二領域１０ｂに貼着した際には１つの第二領域１０ｂのみを覆い隠し、第一領域１０ａ、第三領域１０ｃおよび他の第二領域１０ｂに入り込まず、また、第三領域１０ｃに貼着した際には１つの第三領域１０ｃのみを覆い隠し、第一領域１０ａ、第二領域１０ｂおよび他の第三領域１０ｃに入り込まないように設定されている。また、貼着部品２０は、質量が小さいものが望ましい。例えば、貼着部品２０として、マグネットシートを第二領域１０ｂや第三領域１０ｃのサイズに裁断したものを用いてもよい。
【００２２】
さらに、貼着部品２０は、本体部品１０とは光の反射の仕方が異なる反射層、または本体部品１０とは発光の仕方が異なる発光層が表面の少なくとも一部に形成されている。例えば、本体部品１０が光を「乱反射」する場合には、光を「鏡面反射（正規反射）」または「再帰性反射」する反射シートを貼着部品２０の表面に貼り付けるか、これらの特性を有する塗料を貼着部品２０の表面に塗布するのがよい。また、本体部品１０が蛍光（電磁波を受けて光を発する現象）しない場合には、蛍光する蛍光シートを貼着部品２０の表面に貼り付けるか、蛍光する蛍光塗料を貼着部品２０の表面に塗布するのがよい。
【００２３】
＜固定部品＞
固定部品３０は、本体部品１０を観覧しやすいように固定するものである。固定部品３０としては、種々のものを用いることができる。例えば、図１に示すように、複数の棒材を組合せた土台に平板を紐で括った掲示板のようなものであってもよい。
以上で、実施形態に係る入場者表示具１の構成についての説明を終了する。
【００２４】
≪実施形態に係る入場者表示具の製造方法≫
図３を参照して、入場者表示具１の製造方法について例示する。以下では、入場者表示具１を製造する者を「製造者」と呼ぶことにする。
製造者は、パソコン（ＰＣ：Personal Computer）が備える描画ソフトウェアを用いて自分の好きなデザインの入場者一覧表を作成し、プリンタを用いてこの入場者一覧表を印刷シート１２に印刷する（図３（ａ）参照）。
【００２５】
続いて、製造者は、印刷シート１２を保護シート１３でラミネートする（図３（ｂ）参照）。このラミネートは、印刷シート１２の印刷面を覆うものであればよく、袋状のものを用いて印刷シート１２を密封してもよい。続いて、製造者は、マグネットシートを印刷シート１２のサイズに裁断して磁性体シート１１を作成する。次に、製造者は、磁石面が印刷シート１２に固着するように、両面テープ等を用いて磁性体シート１１を印刷シート１２に貼り付ける（図３（ｃ）参照）。これで、本体部品１０が完成する。
【００２６】
続いて、製造者は、マグネットシートを第二領域１０ｂ、第三領域１０ｃのサイズに裁断したものに反射シートを貼り付けた貼着部品２０を入場者の数分作成し、貼着部品２０を本体部品１０に貼着する（図３（ｄ）参照）。そして、製造者は、両面テープ等を用いて本体部品１０を固定部品３０に貼り付ける（図３（ｅ）参照）。これで、入場者表示具１が完成する。
以上で、実施形態に係る入場者表示具１の製造方法についての説明を終了する。
【００２７】
以上のように、本実施形態に係る入場者表示具１は、磁性体シート１１、印刷シート１２および保護シート１３を積層することにより本体部品１０を製造可能である。これにより、耐水性、耐埃性を有しない紙（コピー紙等）で作成した印刷シート１２を用いて本体部品１０を作成したり、耐水性、耐埃性を有しないインクや塗料を使用した印刷シート１２を用いて本体部品１０を作成することができる。したがって、入場者表示具１は、作業所でよく使用する材料を用いて、特殊な加工を行うことなく製造することができる。その為、本実施形態に係る入場者表示具１は、シンプルで安価である。
【００２８】
また、本実施形態に係る入場者表示具１は、本体部品１０の入場者一覧表が表示される部分を保護シート１３でラミネートしている。したがって、入場者表示具１を屋外で使用しても、入場者一覧表が雨や紫外線等から護ることができる。その為、本実施形態に係る入場者表示具１は、屋外で使用されても劣化が小さく、耐用年数が長い。
【００２９】
また、本実施形態に係る入場者表示具１は、本体部品１０と貼着部品２０とで光の反射の仕方や発光の仕方が異なる。したがって、例えば、暗所、夜間および悪天候時に入坑者の有無を確認する場合、照明具（例えば、懐中電灯）を用いて入坑者の有無を確認することが想定されるが、懐中電灯の光量では文字や色が判別できないような状況でも、本体部品１０に比べて光の反射の仕方が異なるのが第二領域１０ｂの位置であれば、対応する者が入坑していない（出坑している）ことを確認できる（図４参照）。その為、本実施形態に係る入場者表示具１は、視認性が高い。
【００３０】
特に、緊急時に遠方から入場・退場の有無を確認する場合に、懐中電灯を用いて光を当てることで、連続性をもって貼着部品２０の位置を読み取ることができる（例えば、貼着部品２０が発する光の点による列が直線であるか、ジグザグであるか等）。その為、本実施形態に係る入場者表示具１は、夜間や悪天候時に遠方からでも入場・退場の有無を即座に確認することができる。
【００３１】
特に、実施形態に係る入場者表示具１は、図１に示すように、入場者数分の第一領域１０ａが縦に並べて形成され、第一領域１０ａの左側に入場者数分の第二領域１０ｂが縦に並べて形成され、右側に第三領域１０ｃが縦に並べて形成されている。これにより、第二領域１０ｂと第三領域１０ｃとの間に一定の距離ができ、連続性をもって貼着部品２０の位置をより容易に読み取ることができる。
【００３２】
また、本実施形態に係る入場者表示具１は、印刷シート１２に入場者一覧表を一般的なプリンタを用いて印刷することができる。したがって、入場者一覧表の内容に変更があっても、容易に作り替えることができる。また、本体部品１０と貼着部品２０との吸引力が低下した場合は、貼着部品２０を交換すればよい。その為、本実施形態に係る入場者表示具１は、改修や修理がとても簡単である。
【００３３】
［変形例］
以上、本発明の実施形態について説明したが、本発明はこれに限定されるものではなく、特許請求の範囲の趣旨を変えない範囲で実施することができる。実施形態の変形例を以下に示す。
【００３４】
本実施形態に係る入場者表示具１は、図２に示すように、本体部品１０が磁性体シート１１と、印刷シート１２と、保護シート１３とを積層した三層構造であった。しかしながら、本体部品１０を、磁性体シート１１と、保護シート１３とを積層した二層構造とし、磁性体シート１１に入場者一覧表を記載してもよい。その場合、磁性体シート１１に特殊なプリンタを用いて入場者一覧表を直接印刷してもよいし、筆記具を用いて人間が手書きしてもよい。
【００３５】
また、実施形態に係る入場者表示具１の入場者一覧表は、図１に示すように、入場者数分の第一領域１０ａが縦に並べて形成され、第一領域１０ａの左側に入場者数分の第二領域１０ｂが縦に並べて形成され、右側に第三領域１０ｃが縦に並べて形成されていた。しかしながら、第一領域１０ａ、第二領域１０ｂおよび第三領域１０ｃの配置はこれに限定されるものではない。例えば、第一領域１０ａの右側に入場者数分の第二領域１０ｂが縦に並べて形成され、左側に第三領域１０ｃが縦に並べて形成されてもよい。また、入場者数分の第一領域１０ａが横に並べて形成され、第一領域１０ａの上下の何れか一方に入場者数分の第二領域１０ｂが横に並べて形成され、他方に第三領域１０ｃが横に並べて形成されてもよい。さらに、入場者表示具１が設置される環境等を考慮して、入場者一覧表のデザインを決定してもよい。このように、実施形態に係る入場者表示具１は、入場者一覧表のデザインに多様性を持たせることが可能である。例えば、入場者表示具１を設置するスペースに合わせたデザインにしたり、種々の言語表記、記号表記等に対応したデザインにしたりすることが可能である。
【符号の説明】
【００３６】
１      入場者表示具
１０    本体部品
１１    磁性体シート（第１シート）
１２    印刷シート（第２シート）
１３    保護シート（第３シート）
２０    貼着部品
３０    固定部品
【図１】
2015141405.tif 000003
【図２】
2015141405.tif 000004
【図３】
2015141405.tif 000005
【図４】
2015141405.tif 000006
【図５】
2015141405.tif 000007
【図６】
2015141405.tif 000008